(57)【要約】【課題】  事務所などが入居する建物等に設置されたエレベーターにおいて、乗客が移動する可能性の高い行先階が複数存在する場合に、全ての階床の行先釦を設けることなく、移動する可能性の高い複数の行先釦を表示し、乗客が表示された行先釦の中から選択して、容易に行先階のかご呼びを登録できるエレベーターの呼び登録装置を提供する。【解決手段】  乗場またはかご内に設けられた個人認識装置が個人認識した乗客の個人情報に基づいて、表示制御手段２１が所定条件に応じて、行先階記憶手段２２に予め記憶しておいた乗客毎の行先階情報の中から、その条件の時に乗客が向かう可能性が高い行先階候補を読み出すとともに、タッチパネルのタッチパネル表示器に、乗客が向かう可能性が高い複数個の行先釦を表示する。そして、行先階登録手段２３が、表示制御手段２１がタッチパネル表示器に表示した複数個の行先釦の中から、乗客が操作した行先釦の行先階を登録する。【選択図】図３
2005231885.tif 000002
【特許請求の範囲】
【請求項１】
乗客を個人認識して個人情報を出力する個人認識装置と、行先釦を表示器に表示するとともに、前記表示された行先釦を前記乗客が操作したことを検出するタッチパネルと、前記個人情報に関連付けて、予め設定した所定条件に応じた少なくとも１個以上の行先階を記憶させた行先階記憶手段と、前記個人認識装置が個人認識した乗客の個人情報に基づき、前記行先階記憶手段に予め記憶しておいた前記行先階の中から、前記所定条件に応じた行先階を読み出すとともに、前記タッチパネルの表示器に前記行先階を表す少なくとも１個以上の行先釦を表示する表示制御手段と、前記表示制御手段が前記タッチパネルの表示器に表示した前記行先釦の中から、乗客が操作した行先釦を検出して該当する行先階を登録する行先階登録手段とを備えたことを特徴とするエレベーターの呼び登録装置。
【請求項２】
前記表示制御手段は、前記行先階登録手段が登録した行先階を表す行先釦を、表示形態を変えて前記タッチパネルの表示器に表示することを特徴とする請求項１に記載のエレベーターの呼び登録装置。
【請求項３】
前記行先階記憶手段は、乗客毎に予め設定した日時、曜日、乗車階を所定条件として、前記行先階を前記個人情報に関連付けて記憶することを特徴とする請求項１または請求項２に記載のエレベーターの呼び登録装置。
【請求項４】
前記個人認識装置を乗場に配設するとともに、前記タッチパネルを乗場に配設したことを特徴とする請求項１乃至請求項３のいずれかに記載のエレベーターの呼び登録装置。
【請求項５】
前記個人認識装置を乗場に配設するとともに、前記タッチパネルをかご内に配設したことを特徴とする請求項１乃至請求項３のいずれかに記載のエレベーターの呼び登録装置。
【請求項６】
前記個人認識装置をかご内に配設するとともに、前記タッチパネルをかご内に配設したことを特徴とする請求項１乃至請求項３のいずれかに記載のエレベーターの呼び登録装置。
【発明の詳細な説明】
【技術分野】
【０００１】
この発明は、乗客を個人認識して行先釦を表示し、表示した行先釦の中から乗客が選択した行先階のかご呼びを登録するエレベーターの呼び登録装置に関するものである。
【背景技術】
【０００２】
従来のエレベーターにおいて、予め乗客ごとの行先階を記憶し、乗場で乗客を個人認識するとともに、記憶しておいたこの乗客の行先階のかご呼びを自動登録するものが提案されている（例えば、特許文献１参照）。これは、乗客を識別する個人認識装置を乗場に設置し、予め乗客ごとの行先階を記憶しておいて、個人識別装置によって識別された乗客について、記憶しておいた行先階をかご呼びとして自動登録するものである。
【０００３】
これにより、両手が荷物でふさがっていたり、かご内が混雑して行先ボタンを操作できないときでも容易にかご呼びを登録することができる。
【０００４】
【特許文献１】特開平５−１９３８４２号公報（第２頁、第３頁、図３）
【発明の開示】
【発明が解決しようとする課題】
【０００５】
しかしながら、上記従来技術においては、住宅などのように個人の行先階が居住階などの１階床に固定されているような建物に設けられたエレベーターには適用できるが、事務所などが入居する建物などのように入居者個人の行先階が、その時の移動目的により複数の行先階がある場合には、自動登録した行先階とは異なる階床へ行くときに、乗客が行先階をかご呼び登録する必要があり、そのために全ての階床の行先釦を設ける必要があるなどの問題があった。
【０００６】
この発明は、乗客が移動する可能性の高い行先階が複数存在する場合に、全ての階床の行先釦を設けることなく、移動する可能性の高い複数の行先釦を表示し、乗客が表示された行先釦の中から選択して、容易に行先階のかご呼びを登録できるエレベーターの呼び登録装置を提供することを目的とする。
【課題を解決するための手段】
【０００７】
この発明に係るエレベーターの呼び登録装置は、乗客を個人認識して個人情報を出力する個人認識装置と、行先釦を表示器に表示するとともに、表示された行先釦を乗客が操作したことを検出するタッチパネルと、個人情報に関連付けて、予め設定した所定条件に応じた少なくとも１個以上の行先階を記憶させた行先階記憶手段と、個人認識装置が個人認識した乗客の個人情報に基づき、行先階記憶手段に予め記憶しておいた行先階の中から、所定条件に応じた行先階を読み出すとともに、タッチパネルの表示器に行先階を表す少なくとも１個以上の行先釦を表示する表示制御手段と、表示制御手段がタッチパネルの表示器に表示した行先釦の中から、乗客が操作した行先釦を検出して該当する行先階を登録する行先階登録手段とを備えた。
【発明の効果】
【０００８】
この発明は、乗客が移動する可能性のある行先階が複数存在する場合に、全ての階床の行先釦を設けることなく、移動する可能性の高い複数の行先釦を表示し、乗客が表示された行先釦の中から選択して、容易に行先階のかご呼びを登録することを可能とするエレベーターの呼び登録装置を提供することができる。
【発明を実施するための最良の形態】
【０００９】
図１はこの発明の実施の形態に係るエレベーターの呼び登録装置の全体構成図である。図１に示すように、１は乗場に設けられて、指紋検出器や個人が携帯する非接触カードなどから送られる信号を受信して、個人認識し個人情報（例えばＩＤ番号など）を出力する乗場個人認識装置であり、２はかご内に設けられて、指紋検出器や個人が携帯する非接触カードなどから送られる信号を受信して、個人認識し個人情報（例えばＩＤ番号など）を出力するかご内個人認識装置である。
【００１０】
また、３は、乗場に設けられて、行先釦などを乗場タッチパネル表示器７に表示するとともに、表示された行先釦を乗客が触れるとその行先呼びを登録する乗場タッチパネルであり、行先呼びが登録されるとその登録された行先階を、乗場タッチパネル表示器７に表示形態（例えば表示色や点滅など）を変えて表示し、登録済の行先階を乗場の乗客に報知する。同様に、４は、かご内に設けられて、行先釦などをかご内タッチパネル表示器８に表示するとともに、表示された行先釦を乗客が触れるとその行先呼びを登録するかご内タッチパネルであり、行先呼びが登録されるとその登録された行先階を、かご内タッチパネル表示器８に表示形態（例えば表示色や点滅など）を変えて表示し、登録済の行先階をかご内の乗客に報知する。
【００１１】
さらに、５は乗場に設けられて、乗客が操作すると乗場呼びを登録する乗場釦であり、乗場呼びが登録されると乗場釦灯９を点灯して乗場の乗客に報知する。また、６はかご内に設けられて、乗客が操作すると行先呼びを登録するかご内行先釦であり、行先呼びが登録されるとかご内行先釦灯９を点灯してかご内の乗客に報知する。
【００１２】
ここで、１２はマイクロコンピューター（以下マイコンと称する）で、入力回路１２ａ、ＣＰＵ１２ｂ、メモリ１２ｃ、出力回路１２ｄを備えて、入力回路１２ａには乗場個人認識装置１、かご内個人認識装置２、乗場タッチパネル３、かご内タッチパネル４、乗場釦５、かご内行先釦６が接続され、出力回路１２ｄには、乗場タッチパネル表示器７、かご内タッチパネル表示器８、乗場釦灯９、かご内行先釦灯１０が接続されている。
【００１３】
図２は、この発明の実施の形態に係るエレベーターの呼び登録装置のブロック構成図である。図２に示すように、２１は、個人認識装置が個人認識した乗客の個人情報に基づいて、時計装置１３から入力した日時、曜日等の所定条件に応じて、行先階記憶手段２２に予め記憶しておいた乗客毎の行先階情報の中から、その条件の時に乗客が向かう可能性が高い行先階候補を読み出すとともに、タッチパネルのタッチパネル表示器に、乗客が向かう可能性が高い複数個の行先釦を表示する表示制御手段である。ここで、個人認識装置は、乗場に設けられた乗場個人認識装置１、または、かご内に設けられたかご内個人認識装置２であり、タッチパネル表示器は、乗場に設けられた乗場タッチパネル３と一体となった乗場タッチパネル表示器７、または、かご内に設けられたかご内タッチパネル４と一体となったかご内タッチパネル表示器８である。
【００１４】
ここで、所定条件とは日時、曜日、天候、乗車階などにより必要に応じて設定するものである。例えば、特定の乗客が平日に１０階から乗車する場合について、
Ａパターン（昼食時以外）：１階又は地下１階を行先階として設定、
Ｂパターン（昼食時）：２階又は３階の食堂階を行先階として設定、
などのように行先階記憶手段２２に予め記憶しておく。
【００１５】
また、２３は、表示制御手段２１がタッチパネル表示器に表示した複数個の行先釦の中から、乗客が操作した行先釦の行先階を登録する行先階登録手段であり、登録した行先階をエレベーター運転制御手段２５及び表示制御手段２１に出力する。ここで、表示制御手段２１は、行先階登録手段２３が登録した行先階を表す行先釦を、表示形態（例えば表示色や点滅など）を変えて、タッチパネルのタッチパネル表示器に登録済みの行先階を表すように表示する。なお、タッチパネル表示器は、乗場に設けられた乗場タッチパネル３と一体となった乗場タッチパネル表示器７、または、かご内に設けられたかご内タッチパネル４と一体となったかご内タッチパネル表示器８である。
【００１６】
さらに、２４は、乗客が乗場に設けられた乗場釦５を操作すると、その階床の乗場呼びを登録してエレベーター運転制御手段２５に出力する乗場呼登録手段である。ここで、２６は、乗場呼登録手段２４が登録した乗場呼びに応答して、図示しないかごが乗場呼びを登録した階床に到着したことを検出するかご到着検出手段である。
【００１７】
実施の形態1．
図３はこの発明の実施の形態１．に係るエレベーターの呼び登録装置の制御内容を説明するフローチャートである。このフローチャートで示す制御プログラムはマイコン１２に実装される。図３に示すフローチャートを参照して動作を説明する。まず、ステップＳ１で乗場個人認識装置１が乗場の乗客を認識したか否かを判定する。そして、乗場の乗客を認識していない場合は動作を終了する（ステップＳ１→終了）。
【００１８】
次に、乗場の乗客を認識した場合はステップＳ２へ進み、認識した乗客の個人情報（例えばＩＤ番号など）に基づき、所定条件が成立しているか否かを判定する。ここで、例えば、前述の条件のように設定された乗客が１０階から乗車する場合に、退勤時であればステップＳ２で所定条件が成立していないと判断してステップＳ３へ進み、昼食時であればステップＳ２で所定条件が成立していると判断してステップＳ７へ進む。
【００１９】
ここで、退勤時の場合にはステップＳ３で、行先階記憶手段２２に予め記憶しておいたＡパターンの行先階を表す１階と地下１階の行先釦を乗場タッチパネル表示器７に表示する。次に、ステップＳ４で、乗客が表示された行先釦を所定時間（例えば１０秒）以内に操作したか否かを判定する。そして、乗客が行先釦を所定時間以内に操作していない場合は動作を終了する（ステップＳ４→終了）。また、乗客が行先釦を所定時間以内に操作した場合はステップＳ５へ進む。
【００２０】
次に、ステップＳ５で、乗客が操作した行先釦の行先階を行先呼びとして登録する。例えば、乗客が１階の行先釦を操作すると、１階の行先呼びを登録するとともに、乗場タッチパネル表示器７に１階の行先釦の表示形態（例えば表示色や点滅など）を変えて表示し、乗場の乗客に１階の行先呼びが登録されたことを報知する。この後、呼びを登録した乗客が待つ１０階にかごが到着するまで、１階の行先呼びが登録されたことを乗場タッチパネル表示器７に表示することになり、その１０階の乗場で他の乗客が乗場個人認識装置１で認識されて、その乗客の行先階を表す、例えば地下１階と地下２階の行先釦を乗場タッチパネル表示器７に表示しても、先に行先呼び登録された１階の表示が消滅することはない。
【００２１】
次に、ステップＳ６で、エレベーター運転制御手段２５により呼びが登録された１０階の乗場にかごをサービスさせる。そして、かご到着検出手段２６によりかごが到着したことを検出すると、乗場タッチパネル表示器７に表示した１階の行先呼び登録を消去して動作を終了する（ステップＳ６→終了）。
【００２２】
一方、昼食時であればステップＳ２で所定条件が成立していると判断してステップＳ７へ進む。そして、ステップＳ７で、行先階記憶手段２２に予め記憶しておいたＢパターンの行先階を表す２階と３階の行先釦を乗場タッチパネル表示器７に表示する。次に、ステップＳ８で、乗客が表示された行先釦を所定時間（例えば１０秒）以内に操作したか否かを判定する。そして、乗客が行先釦を所定時間以内に操作していない場合は動作を終了する（ステップＳ８→終了）。また、乗客が行先釦を所定時間以内に操作した場合はステップＳ９へ進む。
【００２３】
次に、ステップＳ９で、乗客が操作した行先釦の行先階を行先呼びとして登録する。例えば、乗客が２階の行先釦を操作すると、２階の行先呼びを登録するとともに、乗場タッチパネル表示器７に２階の行先釦の表示形態（例えば表示色や点滅など）を変えて表示し、乗場の乗客に２階の行先呼びが登録されたことを報知する。この後、呼びを登録した乗客が待つ１０階にかごが到着するまで、２階の行先呼びが登録されたことを乗場タッチパネル表示器７に表示することになり、その１０階の乗場で他の乗客が乗場個人認識装置１で認識されて、その乗客の行先階を表す、例えば地下１階と地下２階の行先釦を乗場タッチパネル表示器７に表示しても、先に行先呼び登録された２階の表示が消滅することはない。
【００２４】
次に、ステップＳ１０で、かごを呼びが登録された１０階の乗場にサービスさせる。そして、かごが到着すると、乗場タッチパネル表示器７に表示した１階の行先呼び登録を消去して動作を終了する（ステップＳ１０→終了）。
【００２５】
以上のように、乗場個人認識装置１が個人認識した乗客の個人情報に基づいて、その時の日時、曜日等の所定条件に応じて、予め記憶しておいた乗客毎の行先階情報の中から、その条件の時に乗客が向かう可能性が高い行先階候補を読み出すとともに、乗場タッチパネル表示器７に乗客が向かう可能性が高い複数個の行先釦を表示することにより、全ての階床の行先釦を設けることなく、乗客が表示された行先釦の中から選択して、容易に行先階のかご呼びを乗場で登録できる。
【００２６】
実施の形態２．
図４はこの発明の実施の形態２．に係るエレベーターの呼び登録装置の制御内容を説明するフローチャートである。このフローチャートで示す制御プログラムはマイコン１２に実装される。図３に示すフローチャートを参照して動作を説明する。まず、ステップＳ１１で乗場個人認識装置１が乗場の乗客を認識したか否かを判定する。そして、乗場の乗客を認識していない場合は動作を終了する（ステップＳ１１→終了）。
【００２７】
次に、乗場の乗客を認識した場合はステップＳ１２へ進み、ステップＳ１２で、乗客が乗場釦５を所定時間（例えば１０秒）以内に操作したか否かを判定する。そして、乗客が乗場釦５を所定時間以内に操作していない場合は動作を終了する（ステップＳ１２→終了）。また、乗客が乗場釦５を所定時間以内に操作した場合は、その階の乗場呼びを登録するとともに、乗場釦灯９を点灯して乗場の乗客に乗場呼びが登録されたことを報知する。
【００２８】
そして、ステップＳ１３で、エレベーター運転制御手段２５により乗場呼びが登録された階（例えば１０階）にかごをサービスさせる。次に、ステップＳ１４で、かご到着検出手段２６によりかごが乗場呼びが登録された１０階に到着したことを検出するとステップＳ１５へ進む。
【００２９】
次に、ステップＳ１５で、認識した乗客の個人情報（例えばＩＤ番号など）に基づき、所定条件が成立しているか否かを判定する。ここで、例えば、前述の条件のように設定された乗客が１０階から乗車する場合に、退勤時であればステップＳ１５で所定条件が成立していないと判断してステップＳ１６へ進み、昼食時であればステップＳ１５で所定条件が成立していると判断してステップＳ１９へ進む。
【００３０】
ここで、退勤時の場合にはステップＳ１６で、行先階記憶手段２２に予め記憶しておいたＡパターンの行先階を表す１階と地下１階の行先釦をかご内タッチパネル表示器８に表示する。次に、ステップＳ１７で、乗客が表示された行先釦を所定時間（例えば１０秒）以内に操作したか否かを判定する。そして、乗客が行先釦を所定時間以内に操作していない場合は動作を終了する（ステップＳ１７→終了）。また、乗客が行先釦を所定時間以内に操作した場合はステップＳ１８へ進む。
【００３１】
次に、ステップＳ１８で、乗客が操作した行先釦の行先階を行先呼びとして登録して動作を終了する（ステップＳ１８→終了）。例えば、乗客が１階の行先釦を操作すると、１階の行先呼びを登録するとともに、かご内タッチパネル表示器８に１階の行先釦の表示形態（例えば表示色や点滅など）を変えて表示し、かご内の乗客に１階の行先呼びが登録されたことを報知する。この後、呼びを登録した１階にかごが到着するまで、１階の行先呼びが登録されたことをかご内タッチパネル表示器８に表示することになり、他の乗客が乗場個人認識装置１で認識されて、その乗客の行先階を表す、例えば地下１階と地下２階の行先釦をかご内タッチパネル表示器８に表示しても、先に行先呼び登録された１階の表示が消滅することはない。
【００３２】
一方、昼食時であればステップＳ１５で所定条件が成立していると判断してステップＳ１９へ進む。そして、ステップＳ１９で、行先階記憶手段２２に予め記憶しておいたＢパターンの行先階を表す２階と３階の行先釦をかご内タッチパネル表示器８に表示する。次に、ステップＳ２０で、乗客が表示された行先釦を所定時間（例えば１０秒）以内に操作したか否かを判定する。そして、乗客が行先釦を所定時間以内に操作していない場合は動作を終了する（ステップＳ２０→終了）。また、乗客が行先釦を所定時間以内に操作した場合はステップＳ２１へ進む。
【００３３】
次に、ステップＳ２１で、乗客が操作した行先釦の行先階を行先呼びとして登録して動作を終了する（ステップＳ２１→終了）。例えば、乗客が２階の行先釦を操作すると、２階の行先呼びを登録するとともに、かご内タッチパネル表示器８に２階の行先釦の表示形態（例えば表示色や点滅など）を変えて表示し、乗場の乗客に２階の行先呼びが登録されたことを報知する。この後、呼びを登録した２階にかごが到着するまで、２階の行先呼びが登録されたことをかご内タッチパネル表示器８に表示することになり、他の乗客が乗場個人認識装置１で認識されて、その乗客の行先階を表す、例えば地下１階と地下２階の行先釦をかご内タッチパネル表示器８に表示しても、先に行先呼び登録された２階の表示が消滅することはない。
【００３４】
以上のように、乗場の乗客を個人認識するとともに、乗客が乗場釦を操作したことを検出してかごをサービスさせて、乗場にかごが到着したことを検出すると、乗場個人認識装置１が個人認識した乗客の個人情報に基づいて、その時の日時、曜日等の所定条件に応じて、予め記憶しておいた乗客毎の行先階情報の中から、その条件の時に乗客が向かう可能性が高い行先階候補を読み出すとともに、かご内タッチパネル表示器８に乗客が向かう可能性が高い複数個の行先釦を表示することにより、乗客が表示された行先釦の中から選択して、容易に行先階のかご呼びを登録できる。
【００３５】
実施の形態３．
図５はこの発明の実施の形態３．に係るエレベーターの呼び登録装置の制御内容を説明するフローチャートである。このフローチャートで示す制御プログラムはマイコン１２に実装される。図３に示すフローチャートを参照して動作を説明する。まず、ステップＳ３１で、乗客が乗場釦５を操作したか否かを判定する。そして、乗客が乗場釦５を操作していない場合は動作を終了する（ステップＳ３１→終了）。また、乗客が乗場釦５を操作した場合は、その階の乗場呼びを登録するとともに、乗場釦灯９を点灯して乗場の乗客に乗場呼びが登録されたことを報知する。
【００３６】
そして、ステップＳ３２で、エレベーター運転制御手段２５により乗場呼びが登録された階（例えば１０階）にかごをサービスさせる。次に、ステップＳ３３で、かご到着検出手段２６によりかごが乗場呼びが登録された１０階に到着したことを検出するとステップＳ３４へ進む。
【００３７】
ここで、ステップＳ３４でかご内個人認識装置２がかご内の乗客を認識したか否かを判定する。そして、かご内の乗客を認識していない場合は動作を終了する（ステップＳ３４→終了）。また、かご内の乗客を認識した場合はステップＳ３５へ進む。
【００３８】
次に、ステップＳ３５で、認識した乗客の個人情報（例えばＩＤ番号など）に基づき、所定条件が成立しているか否かを判定する。ここで、例えば、前述の条件のように設定された乗客が１０階から乗車する場合に、退勤時であればステップＳ３５で所定条件が成立していないと判断してステップＳ３６へ進み、昼食時であればステップＳ３５で所定条件が成立していると判断してステップＳ３９へ進む。
【００３９】
ここで、退勤時の場合にはステップＳ３６で、行先階記憶手段２２に予め記憶しておいたＡパターンの行先階を表す１階と地下１階の行先釦をかご内タッチパネル表示器８に表示する。次に、ステップＳ３７で、乗客が表示された行先釦を所定時間（例えば１０秒）以内に操作したか否かを判定する。そして、乗客が行先釦を所定時間以内に操作していない場合は動作を終了する（ステップＳ３７→終了）。また、乗客が行先釦を所定時間以内に操作した場合はステップＳ３８へ進む。
【００４０】
次に、ステップＳ３８で、乗客が操作した行先釦の行先階を行先呼びとして登録して動作を終了する（ステップＳ３８→終了）。例えば、乗客が１階の行先釦を操作すると、１階の行先呼びを登録するとともに、かご内タッチパネル表示器８に１階の行先釦の表示形態（例えば表示色や点滅など）を変えて表示し、かご内の乗客に１階の行先呼びが登録されたことを報知する。この後、呼びを登録した１階にかごが到着するまで、１階の行先呼びが登録されたことをかご内タッチパネル表示器８に表示することになり、他の乗客が乗場個人認識装置１で認識されて、その乗客の行先階を表す、例えば地下１階と地下２階の行先釦をかご内タッチパネル表示器８に表示しても、先に行先呼び登録された１階の表示が消滅することはない。
【００４１】
一方、昼食時であればステップＳ３５で所定条件が成立していると判断してステップＳ３９へ進む。そして、ステップＳ３９で、行先階記憶手段２２に予め記憶しておいたＢパターンの行先階を表す２階と３階の行先釦をかご内タッチパネル表示器８に表示する。次に、ステップＳ４０で、乗客が表示された行先釦を所定時間（例えば１０秒）以内に操作したか否かを判定する。そして、乗客が行先釦を所定時間以内に操作していない場合は動作を終了する（ステップＳ４０→終了）。また、乗客が行先釦を所定時間以内に操作した場合はステップＳ４１へ進む。
【００４２】
次に、ステップＳ４１で、乗客が操作した行先釦の行先階を行先呼びとして登録して動作を終了する（ステップＳ４１→終了）。例えば、乗客が２階の行先釦を操作すると、２階の行先呼びを登録するとともに、かご内タッチパネル表示器８に２階の行先釦の表示形態（例えば表示色や点滅など）を変えて表示し、乗場の乗客に２階の行先呼びが登録されたことを報知する。この後、呼びを登録した２階にかごが到着するまで、２階の行先呼びが登録されたことをかご内タッチパネル表示器８に表示することになり、他の乗客が乗場個人認識装置１で認識されて、その乗客の行先階を表す、例えば地下１階と地下２階の行先釦をかご内タッチパネル表示器８に表示しても、先に行先呼び登録された２階の表示が消滅することはない。
【００４３】
以上のように、乗客が乗場釦を操作したことを検出してかごをサービスさせるとともに、乗場にかごが到着したことを検出すると、かご内の乗客を個人認識するとともに、かご内個人認識装置２が個人認識した乗客の個人情報に基づいて、その時の日時、曜日等の所定条件に応じて、予め記憶しておいた乗客毎の行先階情報の中から、その条件の時に乗客が向かう可能性が高い行先階候補を読み出すとともに、かご内タッチパネル表示器８に乗客が向かう可能性が高い複数個の行先釦を表示することにより、乗客が表示された行先釦の中から選択して、容易に行先階のかご呼びを登録できる。
【産業上の利用可能性】
【００４４】
事務所などが入居する建物等に設置されたエレベーターにおいて、乗客が移動する可能性のある行先階が複数存在する場合に、全ての階床の行先釦を設けることなく、移動する可能性の高い複数の行先釦を表示し、乗客が表示された行先釦の中から選択して、容易に行先階のかご呼びを登録することを可能とするエレベーターの呼び登録装置に適用できる。
【図面の簡単な説明】
【００４５】
【図１】この発明の実施の形態に係るエレベーターの呼び登録装置の全体構成図である。
【図２】この発明の実施の形態に係るエレベーターの呼び登録装置のブロック構成図である。
【図３】この発明の実施の形態１．に係るエレベーターの呼び登録装置の制御内容を説明するフローチャートである。
【図４】この発明の実施の形態２．に係るエレベーターの呼び登録装置の制御内容を説明するフローチャートである。
【図５】この発明の実施の形態３．に係るエレベーターの呼び登録装置の制御内容を説明するフローチャートである。
【符号の説明】
【００４６】
１  乗場個人認識装置、  ２  かご内個人認識装置、  ３  乗場タッチパネル、  ４  かご内タッチパネル、  ５  乗場釦、  ６  かご内行先釦、  ７  乗場タッチパネル表示器、  ８  かご内タッチパネル表示器、  ９  乗場釦灯、１０  かご内行先釦灯、１２  マイクロコンピューター、１２ａ  入力回路、１２ｂ  ＣＰＵ、１２ｃ  メモリ、１２ｄ  出力回路、１３  時計装置、２１  表示制御手段、２２  行先階記憶手段、２３  行先階登録手段、２４  乗場呼登録手段、２５  エレベーター運転制御手段、２６  かご到着検出手段
【図１】
2005231885.tif 000003
【図２】
2005231885.tif 000004
【図３】
2005231885.tif 000005
【図４】
2005231885.tif 000006
【図５】
2005231885.tif 000007